(57)【要約】      （修正有）【課題】転写位置における合成抵抗値を測定して適切な転写バイアスに制御すると共に、生産性の低下を防止する。【解決手段】一次転写ローラ２０には、プロセススピード毎に感光体ドラム１２と中間転写ベルト２４と一次転写ローラ２０の合成抵抗を測定するための電流検出部４４が接続されている。制御部４６は、電流検出部４４で検出された電流値から一次転写位置における合成抵抗値を演算し、この合成抵抗値とプロセススピード毎の基準抵抗値に基づき適切な転写バイアスを決定し、一次転写バイアス電源部５２を制御する。これにより、プロセススピード毎に適切な転写バイアスが一次転写ローラ２０に印加される。また、プロセススピード毎に合成抵抗値が測定されるので、画像形成時と測定時とでプロセススピードを切り替える必要がない。また、二次転写位置においても同様に合成抵抗値を測定して、適切な二次転写バイアスに制御される。【選択図】図２
2006259366.tif 000002
【特許請求の範囲】
【請求項１】
トナー像が形成される像担持体と、前記像担持体上のトナー像を転写部材又は記録媒体に転写する転写手段とを備える画像形成装置であって、
複数のプロセススピードのいずれか１つを選択する選択手段と、
前記選択手段で選択されたプロセススピード毎に、前記像担持体と前記転写部材又は前記記録媒体と前記転写手段の合成抵抗値を測定する抵抗測定手段と、
前記抵抗測定手段で測定された合成抵抗値とプロセススピード毎の基準抵抗値に基づき前記転写手段に印加する転写バイアスを制御する制御手段と、
を有することを特徴とする画像形成装置。
【請求項２】
トナー像が形成される像担持体と、像担持体上のトナー像を中間転写体に転写する第１の転写手段と、中間転写体上に転写されたトナー像を記録媒体に転写する第２の転写手段とを備える画像形成装置であって、
複数のプロセススピードのいずれか１つを選択する選択手段と、
前記選択手段で選択されたプロセススピード毎に、前記像担持体と前記中間転写体と前記第１の転写手段の合成抵抗値を測定する第１の抵抗測定手段と、
前記選択手段で選択されたプロセススピード毎に、前記中間転写体と前記記録媒体と前記第２の転写手段の合成抵抗値を測定する第２の抵抗測定手段と、
前記第１の抵抗測定手段で測定された合成抵抗値とプロセススピード毎の第１の基準抵抗値に基づき前記第１の転写手段に印加する転写バイアスを制御し、前記第２の抵抗測定手段で測定された合成抵抗値とプロセススピード毎の第２の基準抵抗値に基づき前記第２の転写手段に印加する転写バイアスを制御する制御手段と、
を有することを特徴とする画像形成装置。
【発明の詳細な説明】
【技術分野】
【０００１】
本発明は、電子写真方式や静電記録方式等を採用した複写機やレーザープリンタなどの画像形成装置に係り、特に像担持体上に形成されたトナー像を記録媒体や転写部材に転写する際に転写バイアスを制御する画像形成装置に関する。
【背景技術】
【０００２】
複写機、プリンタ等の画像形成装置では、感光体などの像担持体を帯電し、レーザー光を照射して像担持体表面に静電潜像を形成し、この静電潜像を現像装置で可視化してトナー像を形成する。像担持体には、中間転写ベルト又は記録媒体を介して転写ローラが接触しており、転写ローラにトナーの帯電極性と同極性の転写電圧が印加されることによって、像担持体上のトナー像が中間転写ベルト又は記録媒体に転写される。
【０００３】
この画像形成装置では、像担持体と転写ローラと中間転写ベルト又は記録媒体などの各抵抗が環境変動や経時的変動に伴って変化するため、転写ローラに印加する転写電圧が不適当となると画質劣化が発生するという問題がある。
【０００４】
このため、抵抗変化や環境条件に影響されることなく適切な転写条件を設定するため、像担持体と記録媒体と転写ローラの合成抵抗を測定する転写域抵抗測定手段を備えた画像形成装置が提案されている（例えば特許文献１を参照）。
【特許文献１】特開２０００−１８１２４２号公報
【発明の開示】
【発明が解決しようとする課題】
【０００５】
しかし、特許文献１では、複数のプロセススピードが選択可能な画像形成装置が考慮されておらず、一定のプロセススピードで転写域の合成抵抗を測定し、転写条件を設定することになる。このため、一定のプロセススピードで測定された合成抵抗に基づき転写バイアスを設定すると、プロセススピードが変化することによって適正な転写バイアスから変動してしまい、不適当な転写制御によって画質欠陥を生じるという問題がある。
【０００６】
また、画像形成動作を中断して転写域の合成抵抗を測定する場合、画像形成時のプロセススピードと転写域抵抗測定手段で合成抵抗を測定するときのプロセススピードが異なると、プロセススピードの切り替え動作を実施する必要があり、画像形成動作の中断及び再開に伴って生産性が低下するという問題もある。
【０００７】
本発明は、上記問題点に鑑みてなされたものであり、プロセススピード毎に転写域の合成抵抗値を測定することで、適切な転写バイアスに制御すると共に、生産性の低下を防止できる画像形成装置を提供することを目的とする。
【課題を解決するための手段】
【０００８】
上記問題点を解決するために、請求項１に記載の発明に係る画像形成装置は、トナー像が形成される像担持体と、前記像担持体上のトナー像を転写部材又は記録媒体に転写する転写手段とを備える画像形成装置であって、複数のプロセススピードのいずれか１つを選択する選択手段と、前記選択手段で選択されたプロセススピード毎に、前記像担持体と前記転写部材又は前記記録媒体と前記転写手段の合成抵抗値を測定する抵抗測定手段と、前記抵抗測定手段で測定された合成抵抗値とプロセススピード毎の基準抵抗値に基づき前記転写手段に印加する転写バイアスを制御する制御手段と、を有することを特徴としている。
【０００９】
ここで、抵抗測定手段は、転写位置における合成抵抗値を直接的に測定し得るものは勿論であるが、電流や電圧を測定して間接的に合成抵抗値を測定し得るものも含むものである。具体的には、転写手段の構成部材に一定電圧を印加し、リターン電流で計測する方式、転写手段の構成部材に一定電流を印加し、リターン電圧で計測する方式、又は、特別な電気抵抗値測定手段によって、転写域にニップされた状態の像担持体と転写部材若しくは記録媒体と転写手段の合成抵抗値を計測する方式等が挙げられる。また、記録媒体は、記録用紙やフィルム媒体を含むものである。転写部材は、転写ドラムや転写ベルトなど、像担持体上のトナー像が転写される記録媒体以外の転写部材を含むものである。また、制御手段は、抵抗測定手段で測定された合成抵抗値とプロセススピード毎の基準抵抗値に基づき転写手段に印加する転写バイアスを制御するものであり、例えば、抵抗測定手段で測定された合成抵抗値と、プロセススピード毎に予め設定された出力電圧又は出力電流に基づく基準抵抗値とを比較して適正な転写バイアスを決定し、これを転写手段に印加するものなどが挙げられる。
【００１０】
請求項１に記載の発明によれば、選択手段によって、複数のプロセススピードのいずれか１つが選択され、そのプロセススピードで画像形成が行われる。そして、転写位置における合成抵抗値を測定する際には、選択されたプロセススピード毎に、抵抗測定手段によって像担持体と転写部材又は記録媒体と転写手段の合成抵抗値が測定される。測定された合成抵抗値とプロセススピード毎の基準抵抗値に基づき転写手段に印加される転写バイアスが制御され、この転写バイアスの印加によって像担持体上のトナー像が転写部材又は記録媒体に転写される。これにより、転写部材又は記録媒体の抵抗変化や環境条件に影響されずに、プロセススピード毎に適切な転写バイアスに制御することが可能となる。また、画像形成時と合成抵抗値の測定時とでプロセススピードが変わらないため、プロセススピードの変化によって転写バイアスが影響を受けることもない。このため、転写バイアスが適切に制御され、画質劣化の発生を防止することが可能となる。また、画像形成動作の途中で合成抵抗値を測定する際に、プロセススピードを切り替える必要がないので、生産性の低下を抑制することができる。
【００１１】
請求項２に記載の発明に係る画像形成装置は、トナー像が形成される像担持体と、像担持体上のトナー像を中間転写体に転写する第１の転写手段と、中間転写体上に転写されたトナー像を記録媒体に転写する第２の転写手段とを備える画像形成装置であって、複数のプロセススピードのいずれか１つを選択する選択手段と、前記選択手段で選択されたプロセススピード毎に、前記像担持体と前記中間転写体と前記第１の転写手段の合成抵抗値を測定する第１の抵抗測定手段と、前記選択手段で選択されたプロセススピード毎に、前記中間転写体と前記記録媒体と前記第２の転写手段の合成抵抗値を測定する第２の抵抗測定手段と、前記第１の抵抗測定手段で測定された合成抵抗値とプロセススピード毎の第１の基準抵抗値に基づき前記第１の転写手段に印加する転写バイアスを制御し、前記第２の抵抗測定手段で測定された合成抵抗値とプロセススピード毎の第２の基準抵抗値に基づき前記第２の転写手段に印加する転写バイアスを制御する制御手段と、を有することを特徴としている。
【００１２】
請求項２に記載の発明によれば、選択手段によって、複数のプロセススピードのいずれか１つが選択され、そのプロセススピードで画像形成が行われる。そして、転写位置における合成抵抗値を測定する際には、選択されたプロセススピード毎に、第１の抵抗測定手段によって、像担持体と中間転写体と第１の転写手段の合成抵抗値が測定される。測定された合成抵抗値とプロセススピード毎の第１の基準抵抗値に基づき、制御手段によって第１の転写手段に印加される転写バイアスが制御され、この転写バイアスの印加によって像担持体上のトナー像が中間転写体に転写される。
【００１３】
同様に、プロセススピード毎に、第２の抵抗測定手段によって、中間転写体と記録媒体と第２の転写手段の合成抵抗値が測定される。測定された合成抵抗値とプロセススピード毎の第２の基準抵抗値に基づき、制御手段によって第２の転写手段に印加される転写バイアスが制御され、この転写バイアスの印加により中間転写体上のトナー像が記録媒体に転写される。これにより、記録媒体などの抵抗変化や環境条件に影響されずに、プロセススピード毎に適切な転写バイアスでトナー像を転写することが可能となる。また、画像形成時と合成抵抗値の測定時とでプロセススピードが変わらないため、プロセススピードの変化によって転写バイアスが影響を受けることもない。このため、転写バイアスが適切に制御され、画質劣化の発生を防止することが可能となる。また、画像形成動作の途中で第１の抵抗測定手段又は第２の抵抗測定手段によって合成抵抗値を測定する際に、プロセススピードを切り替える必要がないので、生産性の低下を抑制することができる。
【発明の効果】
【００１４】
本発明に係る画像形成装置では、プロセススピード毎に適切な転写バイアスに制御することができ、画質劣化の発生を防止して高画質化を実現できる。また、画像形成動作の途中で合成抵抗値を測定する際にプロセススピードを切り替える必要がないので、生産性の低下を抑えることができる。
【発明を実施するための最良の形態】
【００１５】
以下、本発明に係る画像形成装置の実施形態を図面に基づいて説明する。
【００１６】
図１には本発明の第１実施形態に係る画像形成装置１０が示されている。
【００１７】
この画像形成装置１０では、シアン（Ｃ）、マゼンタ（Ｍ）、イエロー（Ｙ）、ブラック（Ｋ）の各色の画像に対応し、感光体ドラム１２Ｃ、１２Ｍ、１２Ｙ、１２Ｋが並列状に並んで配置されている。図２に示すように、感光体ドラム１２Ｃ、１２Ｍ、１２Ｙ、１２Ｋには、それぞれモータ４０が接続されており、モータ４０の駆動力が伝達されて感光体ドラム１２Ｃ、１２Ｍ、１２Ｙ、１２Ｋが矢印方向に回転する。
【００１８】
ここで、感光体ドラム１２Ｃ、１２Ｍ、１２Ｙ、１２Ｋの周辺について説明する。感光体ドラム１２Ｃ、１２Ｍ、１２Ｙ、１２Ｋの周辺は、トナーの色以外は同一の構成となっている。なお、シアン、マゼンタ、イエロー、ブラックの各色を区別する際には、符号の後にＣ、Ｍ、Ｙ、Ｋを付加して説明するが、各色を区別する必要がない場合は、符号の後のＣ、Ｍ、Ｙ、Ｋは省略する。
【００１９】
図１に示すように、感光体ドラム１２の周囲には、その回転方向上流側から、感光体ドラム１２を一様に帯電させる帯電ローラ１４と、感光体ドラム１２にレーザー光を照射して静電潜像を形成する光走査装置１６と、感光体ドラム１２の静電潜像を現像する現像装置１８とが配設されている。詳しくは、感光体ドラム１２Ｃにはシアンのトナー、感光体ドラム１２Ｍにはマゼンダのトナー、感光体ドラム１２Ｙにはイエローのトナー、感光体ドラム１２Ｋにはブラックのトナーが供給され、感光体ドラム１２Ｃ、１２Ｍ、１２Ｙ、１２Ｋの表面にそれぞれシアン、マゼンタ、イエロー、ブラックのトナー像が形成される。
【００２０】
各感光体ドラム１２の下方には、無端状の中間転写ベルト２４が配置されている。この中間転写ベルト２４は、４本の支持ローラ２６Ａ〜２６Ｄと、中間転写ベルト２４の張力を一定に制御するテンションローラ２７と、中間転写ベルト２４を駆動する駆動ローラ２８と、二次転写位置に配置されたバックアップローラ３０に巻き掛けられている。
【００２１】
図２に示すように、駆動ローラ２８にはモータ５０が接続されており、モータ５０の駆動力が伝達されて駆動ローラ２８が回転すると、駆動ローラ２８の回転駆動が中間転写ベルト２４を介して支持ローラ２６Ａ〜２６Ｄとテンションローラ２７とバックアップローラ３０に伝達され、中間転写ベルト２４は矢印方向に周回移動する。
【００２２】
図１に示すように、中間転写ベルト２４を挟んで各感光体ドラム１２と対向する位置には、一次転写ローラ２０が配設されている。中間転写ベルト２４は、感光体ドラム１２Ｃ、１２Ｍ、１２Ｙ、１２Ｋの順に搬送され、一次転写ローラ２０によって、感光体ドラム１２に形成されたトナー像が中間転写ベルト２４上に転写される（詳細は後述する）。これにより、中間転写ベルト２４上には、シアン、マゼンタ、イエロー、ブラックのトナー像が順番に重ね合わせて転写され、多色トナー像が形成される。
【００２３】
中間転写ベルト２４の移動方向下流側には、中間転写ベルト２４を介してバックアップローラ３０と対向する位置に二次転写ローラ３２が配置されている。多色トナー像が転写された中間転写ベルト２４は、矢印方向への移動により、二次転写ローラ３２へ搬送される。中間転写ベルト２４と二次転写ローラ３２との間には、所定のタイミングで用紙Ｐが搬送され、二次転写ローラ３２によって、中間転写ベルト２４上の多色トナー像が用紙Ｐに転写される（詳細は後述する）。その後、用紙Ｐは、定着装置３６へと搬送され、加熱及び加圧により定着処理が施された後、装置外へと排出される。
【００２４】
一方、一次転写ローラ２０の配設位置よりも感光体ドラム１２の回転方向下流側には、感光体ドラム１２に接触するようにクリーニング装置２２が配設されており、転写後に感光体ドラム１２の表面に残留しているトナーが除去される。また、二次転写ローラ３２の配設位置よりも中間転写ベルト２４の移動方向下流側には、中間転写ベルト２４に接触するようにクリーニング装置３４が配設されており、転写後に中間転写ベルト２４の表面に残留しているトナーが除去される。
【００２５】
図２に示すように、中間転写ベルト２４を介して感光体ドラム１２と対向する位置（一次転写位置）には一次転写ローラ２０が配設されており、この一次転写ローラ２０に、一次転写バイアス電源部４２からトナーの帯電極性と逆極性の転写バイアスが印加される。これにより、感光体ドラム１２上のトナー像が中間転写ベルト２４に静電吸着されるようになっている。また、一次転写ローラ２０には、一次転写位置における合成抵抗（感光体ドラム１２と中間転写ベルト２４と一次転写ローラ２０間の抵抗の総和）を測定するための電流検出部４４が接続されている。この電流検出部４４は、複数のプロセススピード（本実施形態では４段階）に可変しても、プロセススピード毎にそれぞれ一次転写位置における合成抵抗を測定するものである。
【００２６】
電流検出部４４には制御部４６が接続されており、制御部４６は、電流検出部４４で検知された電流値から合成抵抗値を演算し、この合成抵抗値を一次転写に対して予め設定されたプロセススピード毎の基準抵抗値と比較して適正な転写バイアスを決定し、この転写バイアスを印加するように一次転写バイアス電源部４２を制御する。ここで、電流検出部４４は、一次転写ローラ２０に一定の電圧を印加した際にリターン電流を計測するものである。図１に示すように、電流検出部４４は、４つの感光体ドラム１２Ｃ、１２Ｍ、１２Ｙ、１２Ｋに対向して配置される一次転写ローラ２０にそれぞれ接続されており、各感光体ドラム１２Ｃ、１２Ｍ、１２Ｙ、１２Ｋの一次転写位置の合成抵抗が測定される。
【００２７】
また、図２に示すように、制御部４６は、感光体ドラム１２Ｃ、１２Ｍ、１２Ｙ、１２Ｋを駆動させるモータ４０の回転を制御する。感光体ドラム１２Ｃ、１２Ｍ、１２Ｙ、１２Ｋは、図４に示すように、画像形成を行うための４段階のプロセススピードが設定されており、４段階のプロセススピードのいずれか１つが制御部４６で選択される。そして、電流検出部４４は、制御部４６で選択されたプロセススピード毎に一次転写位置の合成抵抗を測定するように構成されている。
【００２８】
図３に示すように、中間転写ベルト２４を介してバックアップローラ３０と対向する位置（二次転写位置）に二次転写ローラ３２が配設されており、二次転写ローラ３２には、二次転写バイアス電源部５２からトナーの帯電極性と逆極性の転写バイアスが印加される。これにより、中間転写ベルト２４上の多色トナー像が用紙Ｐに静電吸着されるようになっている。二次転写ローラ３２には、プロセススピード毎に二次転写位置における合成抵抗（中間転写ベルト２４と用紙Ｐと二次転写ローラ３２間の抵抗の総和）を測定するための電流検出部５４が接続されている。電流検出部５４には制御部５６が接続されており、制御部５６は、電流検出部５４で検知された電流値から合成抵抗値を演算し、この合成抵抗値を二次転写に対して予め設定されたプロセススピード毎の基準抵抗値と比較して適正な転写バイアスを決定し、この転写バイアスを印可するように二次転写バイアス電源部５２を制御する。ここで、電流検出部５４は、二次転写ローラ３２に一定の電圧を印加した際にリターン電流を計測するものである。
【００２９】
また、図３に示すように、制御部５６は、駆動ローラ２８を駆動させるモータ５０と接続されており、図４に示すように、４段階のプロセススピードのいずれか１つを選択してモータ５０を回転させる。そして、電流検出部５４は、制御部５６で選択されたプロセススピード毎に二次転写位置の合成抵抗を測定するように構成されている。
【００３０】
次に、この画像形成装置１０の作用について説明する。
【００３１】
図４に示すように、画像形成装置１０では、制御部４６、５６で４段階のプロセススピードＡ〜Ｄのいずれか１つ（本実施形態ではＢ）が選択され、選択されたプロセススピードＢで作像プロセスが開始される。
【００３２】
そして、制御部４６は、モータ４０の回転を制御することで、プロセススピードＢで感光体ドラム１２Ｃ、１２Ｍ、１２Ｙ、１２Ｋを回転させる。カラー画像の作像プロセスでは、感光体ドラム１２Ｃ、１２Ｍ、１２Ｙ、１２Ｋは、帯電ローラ１４によって一様に帯電され、光走査装置１６からレーザー光が照射されることによって静電潜像が形成され、この静電潜像は現像装置１８で可視化されて感光体ドラム１２Ｃ、１２Ｍ、１２Ｙ、１２Ｋに各色のトナー像が形成される。これらのトナー像は、一次転写ローラ２０によって、中間転写ベルト２４上に所定のタイミングで転写され、中間転写ベルト２４上で多色トナー像が重ね合わされる。重ね合わされた多色トナー像は、中間転写ベルト２４の移動により、二次転写ローラ３２との対向位置に搬送され、このタイミングに合わせて用紙Ｐが中間転写ベルト２４と二次転写ローラ３２との間に搬送される。そして、二次転写ローラ３２によって、中間転写ベルト２４上の多色トナー像が用紙Ｐ上に転写される。用紙Ｐ上の多色トナー像は、定着装置３６で加熱及び加圧されて定着され、装置外に排出される。
【００３３】
図４に示すように、このような作像工程が繰り返されることで、プロセススピードＢで順次用紙Ｐが搬送され、用紙Ｐ上にカラー画像が形成される。
【００３４】
制御部４６で抵抗測定開始指示がなされると、画像形成動作が中断され（図４に示す非画像形成領域が設けられ）、一次転写位置における合成抵抗が測定される。このとき、制御部４６は、プロセススピードＢのまま感光体ドラム１２及び中間転写ベルト２４を回転させ（プロセススピードの切り替えを行わず）、電流検出部４４で一次転写位置における電流値を測定する。この電流値は、感光体ドラム１２と中間転写ベルト２４と一次転写ローラ２０の抵抗の総和に対応する情報であり、制御部４６は、この電流値に基づき一次転写位置における合成抵抗値を演算する。そして、求められた合成抵抗値を一次転写に対して予め設定されているプロセススピード毎の基準抵抗値と比較し、適正な転写バイアスを決定する。制御部４６は、画像形成動作を再開し、決定した転写バイアスが一次転写ローラ２０に印加されるように一次転写バイアス電源部４２を制御する。
【００３５】
また、制御部５６で抵抗測定開始指示がなされると、画像形成動作が中断され（図４に示す非画像形成領域が設けられ）、二次転写位置における合成抵抗が測定される。このとき、制御部５６は、モータ５０の回転を制御することで、プロセススピードＢのまま中間転写ベルト２４を周回移動させ（プロセススピードの切り替えを行わず）、電流検出部５４で二次転写位置における電流値を測定する。この電流値は、バックアップローラ３０と中間転写ベルト２４と用紙Ｐと二次転写ローラ３２の抵抗の総和に対応する情報であり、制御部５６は、この電流値に基づき二次転写位置における合成抵抗値を演算する。そして、求められた合成抵抗値を二次転写に対して予め定められているプロセススピード毎の基準抵抗値と比較し、適正な転写バイアスを決定する。制御部５６は、画像形成動作を再開し、決定した転写バイアスが二次転写ローラ３２に印加されるように二次転写バイアス電源部５２を制御する。
【００３６】
以上のプロセスでは、一次転写位置及び二次転写位置における合成抵抗の測定をプロセススピードＢで行っているが、画像形成時のプロセススピードが他のＡ、Ｃ、Ｄのいずれかであれば、一次転写位置及び二次転写位置における合成抵抗の測定もそのプロセススピードで行う。すなわち、制御部４６，５６でモータ４０、５０の回転を制御することで、画像形成時と転写位置の合成抵抗測定時とでプロセススピードの切り替えを行わない。
【００３７】
このような画像形成装置１０では、プロセススピード毎に一次転写位置および二次転写位置における合成抵抗値が測定されるので、一定のプロセススピードで合成抵抗値を測定する場合と比較して、用紙Ｐなどの抵抗変化や環境条件の変動分を直接反映することができる。すなわち、環境条件の変動や用紙Ｐの抵抗値などが考慮された状態で一次転写バイアス及び二次転写バイアスが設定されるので、適切な転写条件に制御でき、転写不良に伴う画質劣化の発生を防止することができる。このため、高画質化を実現することができる。
【００３８】
また、画像形成時のプロセススピードを変えることなく、一次転写位置における合成抵抗値、及び二次転写位置における合成抵抗値を測定できるため、生産性の低下を最小限に抑えることができる。
【００３９】
一方、図５には、一定のプロセススピード（プロセススピードＤ）で一次転写位置及び二次転写位置における合成抵抗値を測定する画像形成装置が示されている。この画像形成装置では、画像形成をプロセススピードＢで行っている際に、抵抗測定開始指示がなされると、合成抵抗値を測定するためにプロセススピードＢをプロセススピードＤに切り替える。そして、非画像形成領域を設けて合成抵抗値を測定した後、用紙Ｐを搬送するためのプロセススピードＢに切り替えて画像形成を再開する。プロセススピードの切り替えは、装置内の用紙Ｐをすべて排出して動作部材を一時停止する必要があるため、装置内の用紙Ｐの配置状態によっては切り替え時間がかなりかかる。このため、図４に示す画像形成装置１０と比較して、プロセススピードを切り替えるための時間（図５中の傾斜部分を参照）が必要となり、生産性が低下してしまう。したがって、本実施形態の画像形成装置１０では、プロセススピードの切り替えを必要としないため、生産性の低下を最小限に抑えることができる。
【００４０】
なお、第１及び第２実施形態では、感光体ドラム上のトナー像を中間転写ベルトに一旦転写し、その後中間転写ベルト上のトナー像を用紙に転写する方式であったが、この構成に限定するものではない。例えば、感光体ドラム上に形成されたトナー像を用紙Ｐに転写する直接転写方式でも、本発明を適用することができる。また、記録媒体は用紙Ｐであったが、用紙に限定するものではなく、フィルムなどにトナー像を転写する場合も本発明を適用することができる。
【００４１】
なお、上記実施形態では、一次転写位置及び二次転写位置における合成抵抗を測定する手段として、電流検出部４４，５４を設けたが、この構成に限定するものではない。例えば、一次転写位置及び二次転写位置における合成抵抗を直接的に測定する検出装置や、転写ローラに一定電流を印加し、リターン電圧で計測する電圧検出部などを設ける方式であってもよい。
【図面の簡単な説明】
【００４２】
【図１】本発明の一実施形態に係る画像形成装置を示す概略構成図である。
【図２】本発明の一実施形態に係る画像形成装置の一次転写位置における合成抵抗を測定するための電流検出部、一次転写ローラ、一次転写バイアス電源部などを示す構成図である。
【図３】本発明の一実施形態に係る画像形成装置の二次転写位置における合成抵抗を測定するための電流検出部、二次転写ローラ、二次転写バイアス電源部などを示す構成図である。
【図４】本発明の一実施形態に係る画像形成装置の転写位置における合成抵抗を測定するときのプロセススピードと時間との関係を示す図である。
【図５】比較例に係る画像形成装置の転写位置における合成抵抗を測定するときのプロセススピードと時間との関係を示す図である。
【符号の説明】
【００４３】
１０   画像形成装置
１２   感光体ドラム
１４   帯電ローラ
１６   光走査装置
１８   現像装置
２０   一次転写ローラ
２４   中間転写ベルト
２８   駆動ローラ
３０   バックアップローラ
３２   二次転写ローラ
４０   モータ
４２   一次転写バイアス電源部
４４   電流検出部
４６   制御部
５０   モータ
５２   二次転写バイアス電源部
５４   電流検出部
５６   制御部
Ａ〜Ｄ プロセススピード
Ｐ     用紙（記録媒体）
【図１】
2006259366.tif 000003
【図２】
2006259366.tif 000004
【図３】
2006259366.tif 000005
【図４】
2006259366.tif 000006
【図５】
2006259366.tif 000007